(57)【要約】【課題】表示パネルが表示パネル用ケースから浮き上がって落下してしまうのを防止するとともに、これにより、近傍に配設された他の部品等が破損してしまうのを防止する。【解決手段】  表示体用フレーム２０は、表示パネル用ケース１０の表示パネル用ケース主壁１１に対向して配置された表示体用フレーム主壁２１と、液晶表示体４の側面に対向して配置された表示体用フレーム側壁２２とを有し、表示体用フレーム側壁２２のうち第１表示体用フレーム側壁２２ａの先端部分を、メイン液晶表示パネル２の端子部２ｂとフレキシブル配線基板２ｄとの接続面を被覆するように延設して表示体用保持部３０を構成する。【選択図】図２
2007293206.tif 000002
【特許請求の範囲】
【請求項１】
表示パネルの一主面が露出するように、前記表示パネルが表示パネル用ケースに収納され、前記表示パネルの端子部に接続されたフレキシブル配線基板の一端部分が、前記表示パネル用ケースの外部に延出された後に折曲されて、前記表示パネルの他の主面に対向して配置される前記表示パネル用ケースの主壁の外面に貼着されてなる表示体を収納する表示体用フレームにおいて、
前記表示パネル用ケース主壁に対向して配置された表示体用フレーム主壁と、前記表示体の側面に対向して配置された表示体用フレーム側壁とを有し、前記表示体用フレーム側壁のうち１つの表示体用フレーム側壁の先端部分が、前記表示パネルの前記端子部に対向する位置に延設されて表示体用保持部を構成していることを特徴とする表示体用フレーム。
【請求項２】
前記表示パネルは、前記端子部と前記フレキシブル配線基板との接続面が露出するように前記表示パネル用ケースに収納されており、
前記表示体用保持部は、前記接続面を被覆するように、前記表示体用フレーム側壁の先端部分より延設されている請求項１に記載の表示体用フレーム。
【請求項３】
表示パネルと、前記表示パネルの一主面が露出するように前記表示パネルを収納する表示パネル用ケースとを備え、前記表示パネルの端子部に接続されたフレキシブル配線基板の一端部分が、前記表示パネル用ケースの外部に延出された後折曲されて、前記表示パネル用ケースにおける前記表示パネルの他の主面に対向して配置される表示パネル用ケース主壁の外面に貼着されてなる表示体、および前記表示体を収納する表示体用フレームとを有する表示装置において、
前記表示体用フレームは、前記表示パネル用ケース主壁に対向して配置された表示体用フレーム主壁と、前記表示体の側面に対向して配置された前記表示体用フレーム側壁とを有し、前記表示体用フレーム側壁のうち１つの表示体用フレーム側壁の先端部分が、前記表示パネルの前記端子部に対向する位置に延設されて表示体用保持部を構成していることを特徴とする表示装置。
【発明の詳細な説明】
【技術分野】
【０００１】
本発明は表示体用フレームおよび表示装置に係り、特に、表示パネル用ケースに表示パネルがその一主面が露出するように収納されている表示体を収納する表示体用フレームおよびこの表示体用フレームに表示体が収納されている表示装置に関する。
【背景技術】
【０００２】
近年、一対の基板の対向する面に設けられた複数の電極に選択的に電圧を印加することにより、両基板の間隙に封入された液晶を駆動させて文字等の画像の表示を行う液晶表示パネルを有する液晶表示装置が、携帯電話やＰＤＡ等の表示手段として多用されている。
【０００３】
図４は、従来の表示体用フレームの内部に液晶表示体を収納した液晶表示装置の一例を示す模式的断面図であり、本従来例においては、メイン液晶表示パネルと、メイン液晶表示パネルよりも平面形状において小さく形成されたサブ液晶表示パネルとの２つの液晶表示パネルを有する液晶表示体を備えた液晶表示装置を用いて説明する。
【０００４】
図４に示すように、メイン液晶表示パネル３２とサブ液晶表示パネル３３は、相互に反視認面が対向するように配置されており、両液晶表示パネル３２、３３の間隙には、両液晶表示パネル３２、３３に照射光を導く導光板３６が配置され、導光板３６の近傍には、導光板３６を介して両液晶表示パネル３２、３３に照射光を照射するための光源３７が、導光板３６の側面に対向して配設されている。そして、両液晶表示パネル３２、３３、光源３７、および導光板３６は、表示パネル用ケース３９に収納されて液晶表示体４１とされている。
【０００５】
表示パネル用ケース３９は、サブ液晶表示パネル３３の側面およびメイン液晶表示パネル３２の反視認側に対向して配置される表示パネル用ケース主壁４３と、表示パネル用ケース主壁４３の周縁部に立設されてメイン液晶表示パネル３２の側面に対向して配置される表示パネル用ケース側壁４４とを有している。そして、メイン液晶表示パネル３２は、その一主面としての視認面が露出するように表示パネル用ケース３９の内部に収納されている。
【０００６】
このような液晶表示体４１においては、両液晶表示パネル３２、３３に駆動電圧等の電力を供給するため、メイン液晶表示パネル３２の端子部３２ａに配設された電極端子（図示せず）に、フレキシブル配線基板３２ｂの一端部分に配設された配線端子（図示せず）が導電接続されている。また、フレキシブル配線基板３２ｂの他端部分は、表示パネル用ケース３９の外部に延出した後に折曲されて、表示パネル用ケース主壁４３の外面に両面粘着テープによって貼着されている（例えば、特許文献１参照）。
【０００７】
また、液晶表示装置３１は、液晶表示体４１を内部に収納するステンレス（ＳＵＳ）等からなる表示体用フレーム４２を有し、この表示体用フレーム４２は、液晶表示体４１におけるサブ液晶表示パネル３３の配置側の面全体に対向する大きさの表示体用フレーム主壁４７と、表示体用フレーム主壁４７の周縁に立設されて液晶表示体４１の側面に対向して配置される表示体用フレーム側壁４８とを備えている。そして、液晶表示体４１は、メイン液晶表示パネル３２の視認面が露出するように表示体用フレーム４２の内部に収納されている。
【０００８】
【特許文献１】特開２００５−２６６１１０号公報
【発明の開示】
【発明が解決しようとする課題】
【０００９】
前述の液晶表示装置３１によれば、メイン液晶表示パネル３２の端子部３２ａに接続されたフレキシブル配線基板３２ｂは、折曲されて、その他端部分が表示パネル用ケース３９の表示パネル用ケース主壁４３の外面に貼着されているとともに、フレキシブル配線基板３２ｂにおける表示パネル用ケース主壁４３の外面に貼着された部分は、対向して配置される表示体用フレーム主壁４７に押さえられている。このため、このフレキシブル配線基板３２ｂが折曲されることによるフレキシブル配線基板３２ｂの反発力により、メイン液晶表示パネル３２が表示体パネル用ケース３９から浮き上がってしまうおそれがあった。これにより、メイン液晶表示パネル３２が表示体用フレーム４２から落下してしまったり、さらには、この液晶表示装置３１の近傍に配設される他の電子部品等に当接して、破損させてしまうおそれがあるという問題を有していた。
【００１０】
本発明はこれらの点に鑑みてなされたものであり、表示パネルが表示パネル用ケースから浮き上がりしてしまうのを防止するとともに、これにより、近傍に配設された他の部品等が破損してしまうのを防止することができる表示体用フレームおよび液晶表示装置を提供することを目的とする。
【課題を解決するための手段】
【００１１】
前記目的を達成するため、本発明に係る表示体用フレームの特徴は、表示パネルの一主面が露出するように、前記表示パネルが表示パネル用ケースに収納され、前記表示パネルの端子部に接続されたフレキシブル配線基板の一端部分が、前記表示パネル用ケースの外部に延出された後に折曲されて、前記表示パネルの他の主面に対向して配置される前記表示パネル用ケースの主壁の外面に貼着されてなる表示体を収納する表示体用フレームにおいて、前記表示パネル用ケース主壁に対向して配置された表示体用フレーム主壁と、前記表示体の側面に対向して配置された表示体用フレーム側壁とを有し、前記表示体用フレーム側壁のうち１つの表示体用フレーム側壁の先端部分が、前記表示パネルの前記端子部に対向する位置に延設されて表示体用保持部を構成している点にある。
【００１２】
この本発明に係る表示体用フレームによれば、表示体を表示体用フレームの内部に収納すると、表示体用保持部によって端子部とフレキシブル配線基板との接続面が被覆されるようになっている。このため、フレキシブル配線基板が折曲されることによるフレキシブル配線基板の反発力により、表示パネルに対し表示パネル用ケースから浮き上がる方向に負荷が加わった場合であっても、表示体用保持部によって表示パネルの一端部分を押さえることができ、この結果、表示パネルが、表示パネル用ケースの内部から浮き上がって落下してしまうのを防止することができる。
【００１３】
また、前記表示パネルは、前記端子部と前記フレキシブル配線基板との接続面が露出するように前記表示パネル用ケースに収納されており、前記表示体用保持部は、前記接続面を被覆するように、前記表示体用フレーム側壁の先端部分より延設されていることが好ましい。
【００１４】
これにより、フレキシブル配線基板は表示体用フレームから露出することなく、表示体用保持部により被覆されるようになっているので、表示体用保持部によってフレキシブル配線基板を保護することができ、フレキシブル配線基板が破損してしまうのを確実に防止することができる。
【００１５】
さらに、本発明に係る表示装置の特徴は、表示パネル、および前記表示パネルの一主面が露出するように前記表示パネルを収納する表示パネル用ケースを備え、前記表示パネルの端子部に接続されたフレキシブル配線基板の一端部分が、前記表示パネル用ケースの外部に延出された後折曲されて、前記表示パネル用ケースにおける前記表示パネルの他の主面に対向して配置される表示パネル用ケース主壁の外面に貼着されてなる表示体と、前記表示体を収納する表示体用フレームとを有する表示装置において、前記表示体用フレームは、前記表示パネル用ケース主壁に対向して配置された表示体用フレーム主壁と、前記表示体の側面に対向して配置された前記表示体用フレーム側壁とを有し、前記表示体用フレーム側壁のうち第１表示体用フレーム側壁の先端部分が、前記表示パネルの前記端部に対向する位置に延設されて表示体用保持部を構成している点にある。
【００１６】
この本発明に係る表示装置によれば、表示体用フレームの表示体用保持部によって表示パネルの端子部とフレキシブル配線基板との接続面が被覆されているので、フレキシブル配線基板が折曲されることによるフレキシブル配線基板の反発力により、表示パネルに対し表示パネル用ケースから浮き上がる方向に負荷が加わった場合であっても、表示体用保持部によって表示パネルの一端部分を押さえることができる。この結果、表示パネルが、表示パネル用ケースの内部から浮き上がって落下してしまうのを防止することができる。
【発明の効果】
【００１７】
以上述べたように、本発明に係る表示体用フレームおよび表示装置によれば、表示パネルが表示パネル用ケースの内部から浮き上がるのを防止することにより、表示パネル用ケースの内部から落下してしまうのを防止することができ、さらには、表示装置の近傍に配設される他の電子部品等に当接して電子部品を破損させてしまうことを防止することができる。
【発明を実施するための最良の形態】
【００１８】
以下、本発明に係る表示体用フレームに表示体を収納した表示装置の一実施形態を図１から図３を参照して説明する。ここで、本実施形態においては、表示装置として、一対の基板間に封入された液晶に選択的に電力を供給して任意の液晶を駆動させることにより、文字や図形等の画像の表示を行う液晶表示パネルを備えた液晶表示装置を用いて説明するが、これに限定されるものではない。
【００１９】
図１は、本実施形態に係る液晶表示装置を示す模式的分解斜視図、図２は、図１の液晶表示装置のＡ−Ａにおける模式的断面図である。
【００２０】
図１および図２に示すように、本実施形態に係る液晶表示装置１は、矩形状の２つの液晶表示パネル２、３が備えられた液晶表示体４を有しており、２つの液晶表示パネルのうちメイン液晶表示パネル２は、サブ液晶表示パネル３と比較して、平面形状において大きく形成されている。
【００２１】
両液晶表示パネル２、３は、一対の透明基板２ａ、３ａを有しており、両透明基板２ａのうち一方の透明基板２ａ、３ａの端子部２ｂ、３ｂには、フレキシブル配線基板２ｄ、３ｄが導電接続されている。そして、両液晶表示パネル２、３は、両液晶表示パネル２、３の反視認面が対向し、サブ液晶表示パネル３がメイン液晶表示パネル２の長手方向において一端部分寄りであって、長手方向と直交する方向において中央部分に位置するように配置されている。
【００２２】
両液晶表示パネル２、３の間隙には、両液晶表示パネル２、３の方向に照射光を導くための導光板６が配設されており、導光板６と両液晶表示パネル２、３の間隙には、図示しないプリズムシートや拡散シート等の光学フィルムが配設されている。光学フィルムのメイン液晶表示パネル２およびサブ液晶表示パネル３側には、それぞれ遮光フィルム７が配置されており、両遮光フィルム７におけるメイン液晶表示パネル２またはサブ液晶表示パネル３における表示領域に対向する部分には、それぞれ開口７ａが形成されている。導光板６の近傍には、導光板６を介して両液晶表示パネル２、３に照射光を照射するための光源８が、導光板６の一側面に対向して配設されている。
【００２３】
そして、両液晶表示パネル２、３、光源８、導光板６、および各光学フィルムは、樹脂材料等からなる表示パネル用ケース１０に収納されて液晶表示体４とされている。表示パネル用ケース１０は、サブ液晶表示パネル３の視認側およびメイン液晶表示パネル２の反視認側に対向して配置される表示パネル用ケース主壁１１と、表示パネル用ケース主壁１１の周縁部に立設されてメイン液晶表示パネル２の側面に対向して配置される表示パネル用ケース側壁１２とを有し、表示パネル用ケース主壁１１におけるサブ液晶表示パネル３の表示領域に対向する部分には、開口１３が形成されている。そして、液晶表示体４における表示パネル用ケース１０には、メイン液晶表示パネル２が、その端子部２ｂにおけるフレキシブル配線基板２ｄとの接続面を含むメイン液晶表示パネル２の一主面としての視認面が露出するように収納されている。
【００２４】
表示パネル用ケース１０の各表示パネル用ケース側壁１２のうちメイン液晶表示パネル２における端子部２ｂの先端縁に対向する第１表示パネル用ケース側壁１２ａ（１２）には、その長さ方向における中央部分に、メイン液晶表示パネル２に接続されたフレキシブル配線基板２ｄを表示パネル用ケース１０の外部に配置させるための開口部１４が形成されている。そして、フレキシブル配線基板２ｄは、開口部１４を介して表示パネル用ケース１０の外部に延出された後、折曲されて表示パネル用ケース主壁１１の外面に両面粘着テープ（図示しない）によって貼着されるようになっている。
【００２５】
また、表示パネル用ケース１０における第１表示パネル用ケース側壁１２ａに対向する第２表示パネル用ケース側壁１２ｂ（１２）の外面には、係止爪１６が形成されているとともに、表示パネル用ケース１０の各表示パネル用ケース側壁１２のうち第１、第２表示パネル用ケース側壁１２ａ、１２ｂを除く第３表示パネル用ケース側壁１２ｃ（１２）および第４表示パネル用ケース側壁１２ｄの外面には、係止用凹部１７が形成されている。
【００２６】
液晶表示装置１は、液晶表示体４を内部に収納するＳＵＳ等からなる表示体用フレーム２０を有している。表示体用フレーム２０は、液晶表示体４におけるサブ液晶表示パネル３が配置されている面の全体を被覆する大きさの表示体用フレーム主壁２１と、表示体用フレーム主壁２１の周縁に立設されて液晶表示体４の側面を被覆する表示体用フレーム側壁２２とを備えている。表示体用フレーム２０の表示体用フレーム主壁２１におけるサブ液晶表示パネル３に対向する位置には、サブ液晶表示パネル３において表示を行う表示領域のみを露出させる大きさの開口２３が形成されている。
【００２７】
表示体用フレーム２０の各表示体用フレーム側壁２２における表示パネル用ケース１０の係止爪１６が形成されている位置に対向する部分には、前記係止爪１６が係止される係止用孔２５が形成されている。また、表示体用フレーム２０の各表示体用フレーム側壁２２の内面における表示パネル用ケース１０の係止用凹部１７が形成されている位置に対向する部分には、前記係止用凹部１７に係止される係止用凸部２６が形成されている。そして、表示パネル用ケース１０の係止爪１６を表示体用フレーム２０の係止用孔２５に係止させるとともに、表示体用フレーム２０の係止用凸部２６を表示パネル用ケース１０の係止用凹部１７に係止させることにより、表示体用フレーム２０を液晶表示体４に固定するようになっている。
【００２８】
さらに、図３に示すように、表示体用フレームの各表示体用フレーム側壁２２のうちメイン液晶表示パネル２の端子部２ｂの先端縁に対向する第１表示体用フレーム側壁２２ａ（２２）の先端部分は、メイン液晶表示パネル２の端子部２ｂとフレキシブル配線基板２ｄとの接続面の全体に対向する位置に延設されて表示体用保持部３０とされている。
【００２９】
そして、メイン液晶表示パネル２の端子部２ｂとフレキシブル配線基板２ｄとの接続面が表示体用保持部３０によって被覆されるように、すなわち、液晶表示体４は、その一端部分が表示体用フレーム２０における第１表示体用フレーム側壁２２ａの表示体用保持部３０によって被覆されるように、表示体用フレーム２０の内部に収納されるようになっている。
【００３０】
次に、本実施形態の作用について説明する。
【００３１】
本実施形態によれば、表示体用フレーム２０における第１表示体用フレーム側壁２２ａの先端部分がメイン液晶表示パネル２の端子部２ｂとフレキシブル配線基板２ｄとの接続面の全体に対向する位置に延設されて表示体用保持部３０とされており、液晶表示体４を表示体用フレーム２０の内部に収納すると、表示体用保持部３０によって前記接続面が被覆されるようになっている。このため、フレキシブル配線基板２ｄが折曲されることによるフレキシブル配線基板２ｄの反発力により、メイン液晶表示パネル２に対し表示パネル用ケース１０から浮き上がる方向に負荷が加わった場合であっても、表示体用保持部３０によってメイン液晶表示パネル２の一端部分を押さえることができる。
【００３２】
したがって、メイン液晶表示パネル２が、表示パネル用ケース１０の内部から浮き上がって落下してしまうのを防止することができる。さらには、メイン液晶表示パネル２が表示パネル用ケース１０の内部から浮き上がるのを防止することにより、液晶表示装置１の近傍に配設される他の電子部品等に当接して電子部品等を破損させてしまうことを防止することができる。
【００３３】
また、第１表示体用フレーム側壁２２ａの表示体用保持部３０は、メイン液晶表示パネル２の端子部２ｂとフレキシブル配線基板２ｄとの接続面に対向する位置に至るように形成されているので、フレキシブル配線基板２ｂは表示体用フレーム２０から露出することなく、表示体用保持部３０により被覆されるようになっている。これにより、表示体用保持部３０によってフレキシブル配線基板２ｂを保護することができ、フレキシブル配線基板２ｂが破損してしまうのを確実に防止することができる。
【００３４】
なお、本発明は前記実施形態に限定されるものではなく、必要に応じて種々変更することが可能である。
【００３５】
例えば、本実施形態においては、表示体は、メイン液晶表示パネル２およびサブ液晶表示パネル３の２つの液晶表示パネル２、３を備えているが、これに限定されるものではなく、表示パネルが、その一主面が露出するように表示パネル用ケース１０に収納された表示体であればよい。
【図面の簡単な説明】
【００３６】
【図１】本発明に係る表示装置の一例を示す模式的分解斜視図
【図２】図１の表示装置を示すＡ−Ａにおける模式的断面図
【図３】図１の表示装置の要部を示す模式的拡大斜視図
【図４】従来の表示装置の一例を示す模式的断面図
【符号の説明】
【００３７】
１  液晶表示装置
２  メイン液晶表示パネル
３  サブ液晶表示パネル
４  液晶表示体
６  導光板
８  光源
１０  表示パネル用ケース
１１  主壁
１２（１２ａ、１２ｂ、１２ｃ、１２ｄ）  表示パネル用ケース側壁
１３  開口
１６  係止爪
１７  係止用凹部
２０  表示体用フレーム
２１  主壁
２２（２２ａ）  表示体用フレーム側壁
２３  第１開口
２５  係止用孔
２６  係止用凸部
３０  表示体用保持部
【図１】
2007293206.tif 000003
【図２】
2007293206.tif 000004
【図３】
2007293206.tif 000005
【図４】
2007293206.tif 000006